(57)【特許請求の範囲】
【請求項１】
貨幣の処理を行う貨幣処理機であって、
少なくともエラー解除体験モードを行うことを選択できる選択手段と、
前記選択手段によりエラー解除体験モードを行うことが選択されたときに、異常状態が発生した旨の情報を出力する出力手段と、
を備え、
前記選択手段により前記エラー解除体験モードを行うことが選択された場合に、機内に収納された貨幣の在高が前記エラー解除体験モードを行う前後で変化するときには、前記出力手段は、エラーを解除するための解除貨幣の取り扱いに関する情報を出力する、貨幣処理機。
【請求項２】
前記出力手段は、前記選択手段によりエラー解除体験モードを行うことが選択されたときに、異常状態が発生した旨の情報に加えて、異常状態の解除方法に係る情報も追加的に出力するようになっている、請求項１記載の貨幣処理機。
【請求項３】
前記出力手段により出力された異常状態の解除方法に係る情報に沿って貨幣処理機が操作されたときに、異常状態が解除されたと判断する判断手段を更に備えた、請求項２記載の貨幣処理機。
【請求項４】
前記貨幣処理機は表示部を更に備えており、
前記出力手段により出力された情報は前記表示部に表示されるようになっている、請求項１乃至３のいずれか一項に記載の貨幣処理機。
【請求項５】
前記表示部は、前記選択手段によりエラー解除体験モードを行うことが選択された場合と、前記選択手段によりエラー解除体験モード以外のモードを行うことが選択された場合とで表示内容を異なる態様で表示する、請求項４記載の貨幣処理機。
【請求項６】
前記貨幣処理機は通信部を更に備えており、
前記出力手段により出力された情報は前記通信部により前記貨幣処理機とは別に設けられた外部装置に送信されるようになっている、請求項１乃至３のいずれか一項に記載の貨幣処理機。
【請求項７】
複数の種類のエラー解除体験モードが予め準備されており、
前記選択手段によりエラー解除体験モードを行うことが選択されたときに、どの種類のエラー解除体験モードを行うかについても選択されるようになっている、請求項１乃至６のいずれか一項に記載の貨幣処理機。
【請求項８】
複数の種類のエラー解除体験モードは、収納庫フル解除体験モード、収納庫エンプティ解除体験モード、センサ汚れ解除体験モード、在高異常可能性解除体験モード、および搬送エラー解除体験モードを含む群の一部または全部である、請求項７記載の貨幣処理機。
【請求項９】
貨幣の処理を行う貨幣処理機と、
前記貨幣処理機とは別に設けられ、当該貨幣処理機に通信接続された外部装置と、
を備えた貨幣処理システムであって、
少なくともエラー解除体験モードを行うことを選択できる選択手段と、
前記選択手段によりエラー解除体験モードを行うことが選択されたときに、異常状態が発生した旨の情報を出力する出力手段と、
を備え、
前記選択手段により前記エラー解除体験モードを行うことが選択された場合に、機内に収納された貨幣の在高が前記エラー解除体験モードを行う前後で変化するときには、前記出力手段は、エラーを解除するための解除貨幣の取り扱いに関する情報を出力する、貨幣処理システム。
【請求項１０】
前記外部装置は表示部を有しており、
前記出力手段により出力された情報は前記外部装置の前記表示部に表示されるようになっている、請求項９記載の貨幣処理システム。
【請求項１１】
貨幣処理機により貨幣の処理を行う貨幣処理方法であって、
エラー解除体験モードを行うことを選択する工程と、
エラー解除体験モードを行うことが選択されたときに、異常状態が発生した旨の情報を出力する工程と、
を備え、
前記エラー解除体験モードを行うことが選択された場合に、機内に収納された貨幣の在高が前記エラー解除体験モードを行う前後で変化するときには、エラーを解除するための解除貨幣の取り扱いに関する情報を出力する、貨幣処理方法。
【請求項１２】
貨幣の処理を行う貨幣処理機であって、
貨幣を搬送する搬送部と、
前記搬送部の制御を行う制御部であって、少なくともエラー解除体験モードを行うことを選択できる選択手段が設けられており、前記選択手段によりエラー解除体験モードを行うことが選択されたときに、前記搬送部による貨幣の搬送を途中で停止させるよう当該搬送部を制御する制御部と、
を備え、
前記制御部は、機外から投入された貨幣が収納部へ搬送される前に前記搬送部による搬送を途中で停止させる、貨幣処理機。
【請求項１３】
異常状態が発生した旨の情報を出力する出力手段を更に備え、
前記出力手段は、前記搬送部による貨幣の搬送を途中で停止させた後、異常状態が発生した旨の情報を出力するようになっている、請求項１２記載の貨幣処理機。
【請求項１４】
前記出力手段は、前記搬送部による貨幣の搬送を途中で停止させた後、異常状態が発生した旨の情報に加えて、異常状態の解除方法に係る情報も追加的に出力するようになっている、請求項１３記載の貨幣処理機。
【請求項１５】
前記出力手段により出力された異常状態の解除方法に係る情報に沿って貨幣処理機が操作されたときに、異常状態が解除されたと判断する判断手段が前記制御部に設けられている、請求項１４記載の貨幣処理機。
【請求項１６】
貨幣の処理を行う貨幣処理機と、
前記貨幣処理機とは別に設けられ、当該貨幣処理機に通信接続された外部装置と、
を備えた貨幣処理システムであって、
前記貨幣処理機は、貨幣を搬送する搬送部を有しており、
前記搬送部の制御を行う制御部であって、所定の指示を受け付けると、前記搬送部による貨幣の搬送を途中で停止させるよう当該搬送部を制御する制御部が設けられ、  前記制御部は、機外から投入された貨幣が収納部へ搬送される前に前記搬送部による搬送を途中で停止させる、貨幣処理システム。
【請求項１７】
貨幣の処理を行う貨幣処理機と、
前記貨幣処理機とは別に設けられ、当該貨幣処理機に通信接続された外部装置と、
を備えた貨幣処理システムであって、
前記貨幣処理機は、貨幣を搬送する搬送部を有しており、
前記搬送部の制御を行う制御部であって、少なくともエラー解除体験モードを行うことを選択できる選択手段が設けられており、前記選択手段によりエラー解除体験モードを行うことが選択されたときに、前記搬送部による貨幣の搬送を途中で停止させるよう当該搬送部を制御する制御部が設けられ、
前記制御部は、機外から投入された貨幣が収納部へ搬送される前に前記搬送部による搬送を途中で停止させる、貨幣処理システム。
【請求項１８】
貨幣処理機により貨幣の処理を行う貨幣処理方法であって、
前記貨幣処理機の搬送部により貨幣を搬送する工程と、
エラー解除体験モードを行うことを選択する工程と、
エラー解除体験モードを行うことが選択されたときに、前記搬送部による貨幣の搬送を途中で停止させる工程と、
を備え、
機外から投入された貨幣が収納部へ搬送される前に前記搬送部による搬送を途中で停止させる、貨幣処理方法。
【請求項１９】
前記解除貨幣が機内の貨幣である場合には、前記出力手段は、エラー解除後に機内へ再投入する旨の情報を出力する、請求項１に記載の貨幣処理機。
【請求項２０】
前記解除貨幣が機外から投入された貨幣である場合には、前記出力手段は、エラー解除後に出金する旨の情報を出力する、請求項１９に記載の貨幣処理機。
【発明の詳細な説明】
【技術分野】
【０００１】
本発明は、紙幣や硬貨等の貨幣の処理を行う貨幣処理機、この貨幣処理機を備えた貨幣処理システムおよび貨幣処理機により貨幣の処理を行う貨幣処理方法に関する。
【背景技術】
【０００２】
従来から、紙幣や硬貨等の貨幣の処理を行う貨幣処理機として様々な種類のものが知られている。具体的には、紙幣釣銭機および硬貨釣銭機が組み合わせられて一体となった貨幣釣銭機が店舗等に設置されており、顧客から受け取った紙幣や硬貨を店員が貨幣釣銭機に入金するとともに、釣銭としての紙幣や硬貨が貨幣釣銭機から出金されるようになっている。
【０００３】
このような貨幣釣銭機においては、紙幣や硬貨の入金処理や出金処理を行う間に紙幣や硬貨が機体内で詰まってしまいジャム等の異常が発生する場合がある。特許文献１には、機体内でジャム等の異常が発生した場合に、不慣れな店員でも復旧操作ができるように、操作箇所の画像や復旧操作の手順を、復旧操作の進捗に応じて段階的にモニタ等の表示部に表示させることが記載されている。
【先行技術文献】
【特許文献】
【０００４】
【特許文献１】特開２０１０−１１３４５０号公報
【発明の概要】
【発明が解決しようとする課題】
【０００５】
しかしながら、従来の貨幣釣銭機では、操作箇所の画像や復旧操作の手順を、復旧操作の進捗に応じて段階的にモニタ等の表示部に表示させたとしても、操作者の技能レベルが低いときにはいきなり貨幣処理機内でジャム等の異常が発生したときに慌ててしまい落ち着いて対処することができない場合がある。この場合には、現場の操作者は自分でジャム等の異常に対処する代わりにメンテナンス員を現場に呼ぶ傾向があり、貨幣処理機を迅速に復旧させることができず、また、メンテナンス員を現場に呼ぶための費用がかかってしまうという問題がある。
【０００６】
また、紙幣や硬貨が機体内で詰まってしまいジャム等の異常が発生する場合以外にも、例えば貨幣釣銭機の収納庫がフルやエンプティになったり、センサが汚れてしまったりしたときに、操作者がエラー解除操作（復旧操作）を前もって体験していなければ、操作者の技能レベルが低い場合には不慣れなことにより慌ててしまい貨幣処理機を迅速に復旧させることができないという問題があった。
【０００７】
本発明は、このような点を考慮してなされたものであり、営業時間外等において操作者に対してエラー解除操作（復旧操作）を前もって体験させることにより、実際に貨幣処理機において異常で発生したときに、操作者の技能レベルにかかわらず当該貨幣処理機を迅速に復旧させることができる貨幣処理機、貨幣処理システムおよび貨幣処理方法を提供することを目的とする。
【課題を解決するための手段】
【０００８】
本発明は、貨幣の処理を行う貨幣処理機であって、少なくともエラー解除体験モードを行うことを選択できる選択手段と、前記選択手段によりエラー解除体験モードを行うことが選択されたときに、異常状態が発生した旨の情報を出力する出力手段と、を備えた、貨幣処理機である。
【０００９】
このような貨幣処理機によれば、選択手段により、少なくともエラー解除体験モードを行うことを選択できるようになっており、選択手段によりエラー解除体験モードを行うことが選択されたときに、異常状態が発生した旨の情報が出力手段により出力されるようになっている。このように、選択手段によりエラー解除体験モードを行うことを選択することによって、営業時間外等において操作者に対してエラー解除操作（復旧操作）を前もって体験させることができるようになる。このことにより、実際に貨幣処理機において異常で発生したときに、操作者の技能レベルにかかわらず当該貨幣処理機を迅速に復旧させることができる。
【００１０】
本発明の貨幣処理機においては、前記出力手段は、前記選択手段によりエラー解除体験モードを行うことが選択されたときに、異常状態が発生した旨の情報に加えて、異常状態の解除方法に係る情報も追加的に出力するようになっていてもよい。
【００１１】
この際に、前記出力手段により出力された異常状態の解除方法に係る情報に沿って貨幣処理機が操作されたときに、異常状態が解除されたと判断する判断手段を更に備えていてもよい。
【００１２】
本発明の貨幣処理機においては、前記貨幣処理機は表示部を更に備えており、前記出力手段により出力された情報は前記表示部に表示されるようになっていてもよい。
【００１３】
この際に、前記表示部は、前記選択手段によりエラー解除体験モードを行うことが選択された場合と、前記選択手段によりエラー解除体験モード以外のモードを行うことが選択された場合とで表示内容を異なる態様で表示するようになっていてもよい。
【００１４】
本発明の貨幣処理機においては、前記貨幣処理機は通信部を更に備えており、前記出力手段により出力された情報は前記通信部により前記貨幣処理機とは別に設けられた外部装置に送信されるようになっていてもよい。
【００１５】
本発明の貨幣処理機においては、複数の種類のエラー解除体験モードが予め準備されており、前記選択手段によりエラー解除体験モードを行うことが選択されたときに、どの種類のエラー解除体験モードを行うかについても選択されるようになっていてもよい。
【００１６】
この際に、複数の種類のエラー解除体験モードは、収納庫フル解除体験モード、収納庫エンプティ解除体験モード、センサ汚れ解除体験モード、在高異常可能性解除体験モード、および搬送エラー解除体験モードを含む群の一部または全部であってもよい。
【００１７】
本発明は、貨幣の処理を行う貨幣処理機と、前記貨幣処理機とは別に設けられ、当該貨幣処理機に通信接続された外部装置と、を備えた貨幣処理システムであって、少なくともエラー解除体験モードを行うことを選択できる選択手段と、前記選択手段によりエラー解除体験モードを行うことが選択されたときに、異常状態が発生した旨の情報を出力する出力手段と、を備えた、貨幣処理システムである。
【００１８】
このような貨幣処理システムによれば、選択手段により、少なくともエラー解除体験モードを行うことを選択できるようになっており、選択手段によりエラー解除体験モードを行うことが選択されたときに、異常状態が発生した旨の情報が出力手段により出力されるようになっている。このように、選択手段によりエラー解除体験モードを行うことを選択することによって、営業時間外等において操作者に対してエラー解除操作（復旧操作）を前もって体験させることができるようになる。このことにより、実際に貨幣処理機において異常で発生したときに、操作者の技能レベルにかかわらず当該貨幣処理機を迅速に復旧させることができる。
【００１９】
本発明の貨幣処理システムにおいては、前記外部装置は表示部を有しており、前記出力手段により出力された情報は前記外部装置の前記表示部に表示されるようになっていてもよい。
【００２０】
本発明は、貨幣処理機により貨幣の処理を行う貨幣処理方法であって、エラー解除体験モードを行うことを選択する工程と、エラー解除体験モードを行うことが選択されたときに、異常状態が発生した旨の情報を出力する工程と、を備えた、貨幣処理方法である。
【００２１】
このような貨幣処理方法によれば、エラー解除体験モードを行うことが選択されたときに、異常状態が発生した旨の情報を出力するようになっている。このように、エラー解除体験モードを行うことを選択することによって、営業時間外等において操作者に対してエラー解除操作（復旧操作）を前もって体験させることができるようになる。このことにより、実際に貨幣処理機において異常で発生したときに、操作者の技能レベルにかかわらず当該貨幣処理機を迅速に復旧させることができる。
【００２２】
本発明は、貨幣の処理を行う貨幣処理機であって、貨幣を搬送する搬送部と、前記搬送部の制御を行う制御部であって、所定の指示を受け付けると、前記搬送部による貨幣の搬送を途中で停止させるよう当該搬送部を制御する制御部と、を備えた、貨幣処理機である。
【００２３】
このような貨幣処理機によれば、制御部は、所定の指示を受け付けると、搬送部による貨幣の搬送を途中で停止させるよう搬送部を制御するようになっている。このように、制御部に所定の指示を与えることにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除操作（復旧操作）を前もって体験していることにより、貨幣処理機を迅速に復旧させることができるようになる。
【００２４】
本発明は、貨幣の処理を行う貨幣処理機であって、貨幣を搬送する搬送部と、前記搬送部の制御を行う制御部であって、少なくともエラー解除体験モードを行うことを選択できる選択手段が設けられており、前記選択手段によりエラー解除体験モードを行うことが選択されたときに、前記搬送部による貨幣の搬送を途中で停止させるよう当該搬送部を制御する制御部と、を備えた、貨幣処理機である。
【００２５】
このような貨幣処理機によれば、選択手段により、少なくともエラー解除体験モードを行うことを選択できるようになっており、選択手段によりエラー解除体験モードを行うことが選択されたときに、搬送部による貨幣の搬送を途中で停止させるようになっている。このように、選択手段によりエラー解除体験モードを行うことを選択することにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除体験モードでエラー解除操作（復旧操作）を前もって体験していることにより、貨幣処理機を迅速に復旧させることができるようになる。
【００２６】
本発明の貨幣処理機においては、異常状態が発生した旨の情報を出力する出力手段を更に備え、前記出力手段は、前記搬送部による貨幣の搬送を途中で停止させた後、異常状態が発生した旨の情報を出力するようになっていてもよい。
【００２７】
この際に、前記出力手段は、前記搬送部による貨幣の搬送を途中で停止させた後、異常状態が発生した旨の情報に加えて、異常状態の解除方法に係る情報も追加的に出力するようになっていてもよい。
【００２８】
また、前記出力手段により出力された異常状態の解除方法に係る情報に沿って貨幣処理機が操作されたときに、異常状態が解除されたと判断する判断手段が前記制御部に設けられていてもよい。
【００２９】
本発明は、貨幣の処理を行う貨幣処理機と、前記貨幣処理機とは別に設けられ、当該貨幣処理機に通信接続された外部装置と、を備えた貨幣処理システムであって、前記貨幣処理機は、貨幣を搬送する搬送部を有しており、前記搬送部の制御を行う制御部であって、所定の指示を受け付けると、前記搬送部による貨幣の搬送を途中で停止させるよう当該搬送部を制御する制御部が設けられた、貨幣処理システムである。
【００３０】
このような貨幣処理システムによれば、制御部は、所定の指示を受け付けると、搬送部による貨幣の搬送を途中で停止させるよう搬送部を制御するようになっている。このように、制御部に所定の指示を与えることにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除操作（復旧操作）を前もって体験していることにより、貨幣処理機を迅速に復旧させることができるようになる。
【００３１】
本発明は、貨幣の処理を行う貨幣処理機と、前記貨幣処理機とは別に設けられ、当該貨幣処理機に通信接続された外部装置と、を備えた貨幣処理システムであって、前記貨幣処理機は、貨幣を搬送する搬送部を有しており、前記搬送部の制御を行う制御部であって、少なくともエラー解除体験モードを行うことを選択できる選択手段が設けられており、前記選択手段によりエラー解除体験モードを行うことが選択されたときに、前記搬送部による貨幣の搬送を途中で停止させるよう当該搬送部を制御する制御部が設けられた、貨幣処理システムである。
【００３２】
このような貨幣処理システムによれば、選択手段により、少なくともエラー解除体験モードを行うことを選択できるようになっており、選択手段によりエラー解除体験モードを行うことが選択されたときに、搬送部による貨幣の搬送を途中で停止させるようになっている。このように、選択手段によりエラー解除体験モードを行うことを選択することにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除体験モードでエラー解除操作（復旧操作）を前もって体験していることにより、貨幣処理機を迅速に復旧させることができるようになる。
【００３３】
本発明は、貨幣処理機により貨幣の処理を行う貨幣処理方法であって、前記貨幣処理機の搬送部により貨幣を搬送する工程と、前記貨幣処理機の制御部が所定の指示を受け付けると、前記搬送部による貨幣の搬送を途中で停止させる工程と、を備えた、貨幣処理方法である。
【００３４】
このような貨幣処理方法によれば、貨幣処理機の制御部は、所定の指示を受け付けると、搬送部による貨幣の搬送を途中で停止させるようになっている。このように、制御部に所定の指示を与えることにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除操作（復旧操作）を前もって体験していることにより、貨幣処理機を迅速に復旧させることができるようになる。
【００３５】
本発明は、貨幣処理機により貨幣の処理を行う貨幣処理方法であって、前記貨幣処理機の搬送部により貨幣を搬送する工程と、エラー解除体験モードを行うことを選択する工程と、エラー解除体験モードを行うことが選択されたときに、前記搬送部による貨幣の搬送を途中で停止させる工程と、を備えた、貨幣処理方法である。
【００３６】
このような貨幣処理方法によれば、エラー解除体験モードを行うことが選択されたときに、前記搬送部による貨幣の搬送を途中で停止させるようになっている。このように、エラー解除体験モードを行うことを選択することにより、貨幣処理機の機体内における貨幣の搬送が途中で停止されるため、ジャムを人為的に発生させることができるようになる。このことにより、営業時間外等において操作者に対してエラー解除操作（復旧操作）を前もって体験させることができるようになる。このため、実際にジャム等の異常が貨幣処理機で発生した場合において、どのような技能レベルの操作者でも、エラー解除体験モードでエラー解除操作（復旧操作）を前もって体験していることにより、貨幣処理機を迅速に復旧させることができるようになる。
【発明の効果】
【００３７】
本発明の貨幣処理機、貨幣処理システムおよび貨幣処理方法によれば、営業時間外等において操作者に対してエラー解除操作（復旧操作）を前もって体験させることにより、実際に貨幣処理機において異常で発生したときに、操作者の技能レベルにかかわらず当該貨幣処理機を迅速に復旧させることができる。
【図面の簡単な説明】
【００３８】
【図１】本発明の一の実施の形態における貨幣処理システムの構成の概略を示す概略構成図である。
【図２】図１に示す貨幣処理システムにおける硬貨釣銭機、紙幣釣銭機および制御端末機の外観を示す斜視図である。
【図３】図１等に示す貨幣処理システムの制御ブロック図である。
【図４】図１等に示す貨幣処理システムにおいてエラー解除体験モードを行うことが選択されたときの動作を示すフローチャートである。
【図５】図１等に示す貨幣処理システムにおいてエラー解除体験モードを行うことが選択されたときの操作表示部における表示内容を示す図である。
【図６】図１等に示す貨幣処理システムにおいて収納庫フル解除体験モードを行うことが選択されたときの動作を示すフローチャートである。
【図７Ａ】図１等に示す貨幣処理システムにおいて収納庫フル解除体験モードを行うことが選択されたときの操作表示部における表示内容を示す図である。
【図７Ｂ】図１等に示す貨幣処理システムにおいて収納庫フル解除体験モードを行うことが選択されたときの操作表示部における表示内容を示す図である。
【図８】図１等に示す貨幣処理システムにおいて収納庫エンプティ解除体験モードを行うことが選択されたときの動作を示すフローチャートである。
【図９Ａ】図１等に示す貨幣処理システムにおいて収納庫エンプティ解除体験モードを行うことが選択されたときの操作表示部における表示内容を示す図である。
【図９Ｂ】図１等に示す貨幣処理システムにおいて収納庫エンプティ解除体験モードを行うことが選択されたときの操作表示部における表示内容を示す図である。
【図１０】図１等に示す貨幣処理システムにおいてセンサ汚れ解除体験モードを行うことが選択されたときの動作を示すフローチャートである。
【図１１Ａ】図１等に示す貨幣処理システムにおいてセンサ汚れ解除体験モードを行うことが選択されたときの操作表示部における表示内容を示す図である。
【図１１Ｂ】図１等に示す貨幣処理システムにおいてセンサ汚れ解除体験モードを行うことが選択されたときの操作表示部における表示内容を示す図である。
【図１２】図１等に示す貨幣処理システムにおいて在高異常ドット解除体験モードを行うことが選択されたときの動作を示すフローチャートである。
【図１３Ａ】図１等に示す貨幣処理システムにおいて在高異常ドット解除体験モードを行うことが選択されたときの操作表示部における表示内容を示す図である。
【図１３Ｂ】図１等に示す貨幣処理システムにおいて在高異常ドット解除体験モードを行うことが選択されたときの操作表示部における表示内容を示す図である。
【図１４】図１等に示す貨幣処理システムにおいて搬送エラー解除体験モードを行うことが選択されたときの動作を示すフローチャートである。
【図１５】図１等に示す貨幣処理システムにおいて搬送エラー解除体験モードを行うことが選択されたときの操作表示部における表示内容を示す図である。
【図１６】変形例における硬貨釣銭機や紙幣釣銭機の動作を示すフローチャートである。
【発明を実施するための形態】
【００３９】
以下、図面を参照して本発明の一の実施の形態について説明する。図１乃至図１５は、本実施の形態に係る貨幣処理システムの構成を示す図である。このうち、図１は、本実施の形態における貨幣処理システムの構成の概略を示す概略構成図であり、図２は、図１に示す貨幣処理システムにおける硬貨釣銭機、紙幣釣銭機および制御端末機の外観を示す斜視図である。また、図３は、図１等に示す貨幣処理システムの制御ブロック図である。また、図４は、図１等に示す貨幣処理システムにおいてエラー解除体験モードを行うことが選択されたときの動作を示すフローチャートであり、図５は、図１等に示す貨幣処理システムにおいてエラー解除体験モードを行うことが選択されたときの操作表示部における表示内容を示す図である。また、図６乃至図１５は、各種のエラー解除体験モードを行うことが選択されたときの動作を示すフローチャートや操作表示部における表示内容を示す図である。
【００４０】
まず、貨幣処理システムの全体構成について図１および図２を用いて説明する。図１および図２に示すように、貨幣処理システム１は、硬貨釣銭機１００と、紙幣釣銭機２００と、制御端末機３００とを備えている。硬貨釣銭機１００および紙幣釣銭機２００は、それぞれ硬貨や紙幣の入出金処理を行うようになっている。より具体的には、硬貨釣銭機１００および紙幣釣銭機２００には顧客から預かった硬貨や紙幣がそれぞれ入金されるとともに、硬貨釣銭機１００および紙幣釣銭機２００から釣銭としての硬貨や紙幣がそれぞれ出金されるようになっている。また、図２に示すように、硬貨釣銭機１００および紙幣釣銭機２００は左右方向に並べて配置される。
【００４１】
一方、制御端末機３００は例えばＰＯＳレジスタ（販売時点管理機能を有する金銭登録機）からなり、この制御端末機３００はホストサーバ４００に通信接続されている。そして、制御端末機３００からホストサーバ４００に売上情報等が送信されるようになっている。
【００４２】
図１に示すように、硬貨釣銭機１００および紙幣釣銭機２００は、それぞれ制御部１３０、２３０を有しており、これらの制御部１３０、２３０は互いに通信接続されている。また、制御端末機３００も制御部３３０を有しており、紙幣釣銭機２００の制御部２３０は制御端末機３００の制御部３３０に通信接続されている。そして、制御端末機３００は、硬貨釣銭機１００および紙幣釣銭機２００の上面に載置される。
【００４３】
以下、硬貨釣銭機１００、紙幣釣銭機２００および制御端末機３００について図１および図２を用いて詳述する。
【００４４】
まず、硬貨釣銭機１００の構成について具体的に説明する。図１および図２に示すように、硬貨釣銭機１００は、前部上面にタッチパネル等の操作表示部１１２を有する筐体１１０を備えている。筐体１１０の前部には硬貨受入部１１４および硬貨払出部１１６が設けられている。
【００４５】
硬貨受入部１１４は、受け入れた硬貨を１層１列状態で１枚ずつ機内に取り込むようになっている。硬貨受入部１１４には、当該硬貨受入部１１４により機内に取り込まれた硬貨を搬送する入金搬送部１０３が接続されている。
【００４６】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００４７】
一方、正常硬貨等の機内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００４８】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００４９】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外周から取り囲むように配置されている。
【００５０】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００５１】
また、周回搬送部２０３ａと各接続搬送部２０３ｂとの間で紙幣の搬送経路を切り換える経路切換部（図示せず）が、周回搬送部２０３ａに沿って配置されている。
【００５２】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱自在に取り付けられている。
【００５３】
紙幣受入部２１４は、紙幣受入口２１４ａに挿入された入金紙幣を１枚ずつ取り込んで、周回搬送部２０３ａ側へ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００５４】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機内に取り込まれた紙幣のうち、汚損等により紙幣識別部２０１で識別することができない紙幣は入金リジェクト紙幣として紙幣払出部２１６に返却されるようになっている。
【００５５】
次に、制御端末機３００の構成について具体的に説明する。制御端末機３００は、前述のように、例えばＰＯＳレジスタ（販売時点管理機能を有する金銭登録機）からなり、この制御端末機３００は、商品の購入情報を登録するとともに、硬貨釣銭機１００や紙幣釣銭機２００に対して硬貨や紙幣の入出金処理を行わせるようになっている。
【００５６】
制御端末機３００の制御部３３０は、図１に示すように、紙幣釣銭機２００の制御部２３０に通信接続されているとともに、ホストサーバ４００にも通信接続されている。そして、この制御部３３０は、硬貨釣銭機１００の制御部１３０や紙幣釣銭機２００の制御部２３０に指令を送ることにより硬貨釣銭機１００や紙幣釣銭機２００に対して硬貨や紙幣の入出金処理を行わせるようになっている。また、制御部３３０は、硬貨釣銭機１００の制御部１３０や紙幣釣銭機２００の制御部２３０から、これらの硬貨釣銭機１００や紙幣釣銭機２００における硬貨や紙幣の処理状況に係る情報を受け取るようになっている。
【００５７】
操作部３０４は、操作者が操作することができるようになっており、制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、制御端末機３００には追加の表示部３０２ａが設けられており、様々な情報を表示部３０２に表示させる代わりに、あるいは表示部３０２における表示に加えて、追加の表示部３０２ａにおいて表示が行われるようになっていてもよい。
【００５８】
図３に、上述のような構成からなる貨幣処理システム１の制御ブロック図を示す。図３に示すように、硬貨釣銭機１００の制御部１３０には、インターフェース１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４等がそれぞれ接続されており、硬貨識別部１０１から制御部１３０に硬貨の識別結果が送られるとともに、制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨釣銭機１００の制御部１３０は、インターフェース１３２により、紙幣釣銭機２００の制御部２３０に対して信号の送受信を行うようになっている。また、操作者により操作表示部１１２に入力された指令が当該操作表示部１１２から制御部１３０に送られるとともに、制御部１３０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。記憶部１３４には、設定内容等の各種情報が記憶される。
【００５９】
また、図３に示すように、硬貨釣銭機１００には硬貨詰まり検出手段１２０が設けられており、この硬貨詰まり検出手段１２０は制御部１３０に接続されている。硬貨詰まり検出手段１２０は、硬貨釣銭機１００の入金搬送部１０３や出金搬送部１０８等において硬貨の詰まり（ジャム）が発生したときにこのことを検出するようになっている。硬貨詰まり検出手段１２０により硬貨の詰まりが検出されると、この情報は制御部１３０に送られるようになっている。
【００６０】
また、図３に示すように、硬貨釣銭機１００の制御部１３０には、選択手段１５０、出力手段１５２、判断手段１５４がそれぞれ接続されている。選択手段１５０は、少なくともエラー解除体験モードを行うことを選択できるようになっている。また、出力手段１５２は、選択手段１５０によりエラー解除体験モードを行うことが選択されたときに、異常状態が発生した旨の情報を出力するようになっている。また、出力手段１５２は、選択手段１５０によりエラー解除体験モードを行うことが選択されたときに、異常状態が発生した旨の情報に加えて、異常状態の解除方法に係る情報も追加的に出力するようになっていてもよい。出力手段１５２により出力された情報は、硬貨釣銭機１００の操作表示部１１２に表示されたり、インターフェース１３２を介して紙幣釣銭機２００の制御部２３０や制御端末機３００の制御部３３０、あるいはホストサーバ４００に送信されたりするようになっている。出力手段１５２により出力された情報が制御端末機３００の制御部３３０に送信されたときには、この情報を制御端末機３００の表示部３０２に表示することができるようになる。これにより、制御端末機３００に備えられた大きな表示部を活用して、エラー解除操作を行うことができる。また、出力手段１５２により出力された情報が制御端末機３００の制御部３３０に送信されたときに、制御端末機３００にプリンタが接続されている場合には、出力手段１５２により出力された情報をプリンタにより印字することができるようになっていてもよい。判断手段１５４は、出力手段１５２により出力された異常状態の解除方法に係る情報に沿って硬貨釣銭機１００や紙幣釣銭機２００が操作されたときに、異常状態が解除されたと判断するようになっている。
【００６１】
また、紙幣釣銭機２００の制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、記憶部２３４等がそれぞれ接続されており、紙幣識別部２０１から制御部２３０に紙幣の識別結果が送られるとともに、制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の制御部２３０は、インターフェース２３２により、硬貨釣銭機１００の制御部１３０や制御端末機３００の制御部３３０に対して信号の送受信を行うようになっている。
【００６２】
また、図３に示すように、紙幣釣銭機２００には紙幣詰まり検出手段２２０が設けられており、この紙幣詰まり検出手段２２０は制御部２３０に接続されている。紙幣詰まり検出手段２２０は、紙幣釣銭機２００の周回搬送部２０３ａや接続搬送部２０３ｂ等において紙幣の詰まり（ジャム）が発生したときにこのことを検出するようになっている。紙幣詰まり検出手段２２０により紙幣の詰まりが検出されると、この情報は制御部２３０に送られるようになっている。
【００６３】
また、制御端末機３００の制御部３３０には、表示部３０２、操作部３０４、記憶部３３４、インターフェース３３２等がそれぞれ接続されており、操作者により操作部３０４に入力された指令が当該操作部３０４から制御部３３０に送られるとともに、制御部３３０は表示部３０２に指令を送ることにより当該表示部３０２に様々な情報を表示させるようになっている。なお、制御部３３０は、表示部３０２に様々な情報を表示させる代わりに、あるいは表示部３０２における表示に加えて、追加の表示部３０２ａにおいて表示を行わせるようになっていてもよい。また、制御端末機３００の制御部３３０は、インターフェース３３２により、紙幣釣銭機２００の制御部２３０やホストサーバ４００に対して信号の送受信を行うようになっている。
【００６４】
次に、このような構成からなる貨幣処理システム１の動作について説明する。なお、以下に示す貨幣処理システム１の動作は、硬貨釣銭機１００の制御部１３０や紙幣釣銭機２００の制御部２３０が、硬貨釣銭機１００や紙幣釣銭機２００の各構成要素をそれぞれ制御することにより行われる。本実施の形態による貨幣処理システム１では、硬貨釣銭機１００の制御部１３０や紙幣釣銭機２００の制御部２３０は、通常モードおよびエラー解除体験モードのうちいずれか一方のモードを選択的に実行するようになっている。なお、硬貨釣銭機１００や紙幣釣銭機２００の電源をＯＦＦからＯＮをしたときには、制御部１３０や制御部２３０は通常モードで立ち上がるようになる。
【００６５】
貨幣処理システム１の動作についてより詳細に説明すると、通常時には、硬貨釣銭機１００の制御部１３０や紙幣釣銭機２００の制御部２３０は通常モードを実行するようになっている。この場合には、硬貨釣銭機１００の硬貨受入部１１４に硬貨が受け入れられると、硬貨受入部１１４は、受け入れた硬貨を１層１列状態で１枚ずつ機内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機内に収納されるべき硬貨であると識別された硬貨は、入金搬送部１０３により硬貨収納部１０６へ搬送され、当該硬貨収納部１０６に金種別に収納される。
【００６６】
また、硬貨釣銭機１００の制御部１３０が通常モードを実行しているときに、当該硬貨釣銭機１００から釣銭としての硬貨を出金する場合には、操作者は操作表示部１１２により出金されるべき硬貨の金種別の枚数や合計金額等を入力する。あるいは、制御端末機３００の制御部３３０から出金指令が硬貨釣銭機１００の制御部１３０に送られることにより、硬貨釣銭機１００から釣銭としての硬貨が出金されるようになる。硬貨釣銭機１００の制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００６７】
また、紙幣釣銭機２００の制御部２３０が通常モードを実行しているときに、紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損等により紙幣識別部２０１で識別することができない紙幣は入金リジェクト紙幣として紙幣払出部２１６に返却される。
【００６８】
また、紙幣釣銭機２００の制御部２３０が通常モードを実行しているときに、当該紙幣釣銭機２００から釣銭としての紙幣を出金する場合には、操作者は操作表示部１１２により出金されるべき紙幣の金種別の枚数や合計金額等を入力する。あるいは、制御端末機３００の制御部３３０から出金指令が紙幣釣銭機２００の制御部２３０に送られることにより、紙幣釣銭機２００から釣銭としての紙幣が出金されるようになる。紙幣釣銭機２００の制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００６９】
硬貨釣銭機１００の制御部１３０や紙幣釣銭機２００の制御部２３０が通常モードを実行しているときに、硬貨詰まり検出手段１２０により入金搬送部１０３や出金搬送部１０８等における硬貨の詰まりが検出されたり、紙幣詰まり検出手段２２０により周回搬送部２０３ａや接続搬送部２０３ｂにおける紙幣の詰まりが検出されたりすることにより、硬貨釣銭機１００や紙幣釣銭機２００でジャム等のエラーが発生した場合には、操作表示部１１２にはエラーが発生した旨を示す情報やエラー解除方法に関する情報が表示されるようになる。より詳細には、操作表示部１１２には、エラーを解除するために操作が必要な箇所の画像や復旧操作の手順が示されるようになる。そして、操作者は、操作表示部１１２に表示されたエラー解除方法を見ながら、硬貨釣銭機１００や紙幣釣銭機２００の内部でジャムを生じさせている硬貨や紙幣を取り除くことにより、エラー解除操作（復旧操作）を行うこととなる。
【００７０】
次に、硬貨釣銭機１００の制御部１３０や紙幣釣銭機２００の制御部２３０において、処理モードを通常モードからエラー解除体験モードに切り換える方法について、図４に示すフローチャートおよび図５に示す硬貨釣銭機１００の操作表示部１１２の表示画面を用いて以下に説明する。
【００７１】
図５（ａ）に、通常モードにおける硬貨釣銭機１００の操作表示部１１２の待機中の画面を示す。図５（ａ）に示すような待機中の画面が操作表示部１１２に表示されているときに、操作者が「設定」キーを押下すると、操作表示部１１２の表示画面が図５（ｂ）に示すような設定画面に切り替わる。そして、図５（ｂ）に示すような設定画面が操作表示部１１２に表示されているときに、操作者が「エラー解除体験」にカーソルを合わせ、「決定」キーを押下すると、図４のフローチャートのＳＴＥＰ１に示すように、選択手段１５０によりエラー解除体験モードを行うことが選択され、操作表示部１１２の表示画面が図５（ｃ）に示すようなエラー解除体験の体験項目を選択する画面に切り替わる（ＳＴＥＰ２）。図５（ｃ）に示すように、エラー解除体験モードとしては、複数の種類のものが用意されており、選択手段１５０によりエラー解除体験モードを行うことが選択されたときに、どの種類のエラー解除体験モードを行うかについても選択されるようになる。具体的には、エラー解除体験モードとして、搬送エラー解除体験モード、収納庫フル解除体験モード、収納庫エンプティ解除体験モード、センサ汚れ解除体験モードおよび在高異常ドット解除体験モード（在高異常可能性解除体験モード）という５つのエラー解除体験モードが用意されている。なお、エラー解除体験モードとして、上述した５つのエラー解除体験モード全てを用意する必要はなく、代わりに、これらの５つのエラー解除体験モードのうち一部のエラー解除体験モードのみが用意されていてもよい。
【００７２】
そして、図４のフローチャートに示すように、操作者が収納庫フル解除体験モードを行うことを選択したときには（ＳＴＥＰ３の「ＹＥＳ」）、後述するような収納庫フル解除体験モードが実行される。ここで、収納庫フル解除体験モードとは、硬貨釣銭機１００の硬貨収納部１０６や紙幣釣銭機２００の紙幣収納部２０６がフル状態またはニアフル状態となったときのエラー解除操作を操作者に前もって体験させる方法に関するものである。
【００７３】
また、操作者が収納庫エンプティ解除体験モードを行うことを選択したときには（ＳＴＥＰ４の「ＹＥＳ」）、後述するような収納庫エンプティ解除体験モードが実行される。ここで、収納庫エンプティ解除体験モードとは、硬貨釣銭機１００の硬貨収納部１０６や紙幣釣銭機２００の紙幣収納部２０６がエンプティ状態またはニアエンプティ状態となったときのエラー解除操作を操作者に前もって体験させる方法に関するものである。
【００７４】
また、操作者がセンサ汚れ解除体験モードを行うことを選択したときには（ＳＴＥＰ５の「ＹＥＳ」）、後述するようなセンサ汚れ解除体験モードが実行される。ここで、センサ汚れ解除体験モードとは、硬貨釣銭機１００や紙幣釣銭機２００に設けられた各種センサが汚れてしまったときのエラー解除操作を操作者に前もって体験させる方法に関するものである。
【００７５】
また、操作者が在高異常ドット解除体験モード（在高異常可能性解除体験モード）を行うことを選択したときには（ＳＴＥＰ６の「ＹＥＳ」）、後述するような在高異常ドット解除体験モードが実行される。ここで、在高異常ドット解除体験モードとは、硬貨釣銭機１００の各硬貨収納部１０６に収納された硬貨の在高や紙幣釣銭機２００の各紙幣収納部２０６に収納された紙幣の在高に異常がある可能性がある場合にこのような異常の可能性を解消する操作を操作者に前もって体験させる方法に関するものである。ここで、「硬貨釣銭機１００や紙幣釣銭機２００に収納された硬貨や紙幣の在高に異常がある可能性」は、硬貨釣銭機１００において２枚以上の硬貨が同時に繰り出されたり、紙幣釣銭機２００において２枚以上の紙幣が同時に繰り出されたりした場合に生じてしまうことがある。このように、硬貨釣銭機１００や紙幣釣銭機２００における実際の硬貨や紙幣の処理内容と、制御部１３０、２３０により管理されている硬貨や紙幣の処理内容とが異なる場合に、在高異常ドットの異常状態が発生してしまう。
【００７６】
また、操作者が搬送エラー解除体験モードを行うことを選択したときには（ＳＴＥＰ７の「ＹＥＳ」）、後述するような搬送エラー解除体験モードが実行される。ここで、搬送エラー解除体験モードとは、硬貨釣銭機１００の入金搬送部１０３や紙幣釣銭機２００の周回搬送部２０３ａ等において硬貨や紙幣が詰まってしまいジャムが発生してしまったときのエラー解除操作を操作者に前もって体験させる方法に関するものである。
【００７７】
なお、図５（ｃ）に示すようなエラー解除体験項目の選択画面が操作表示部１１２に表示されているときに、操作者が「戻る」キーを押下すると（ＳＴＥＰ８の「ＹＥＳ」）、操作表示部１１２の表示画面は図４（ｂ）に示すような設定画面に戻り、エラー解除体験モードが解除されて通常モードに戻ることが可能である（ＳＴＥＰ９）。また、図５（ｂ）に示すような設定画面が操作表示部１１２に表示されているときに、操作者が「戻る」キーを押下すると、操作表示部１１２の表示画面は図４（ａ）に示すような待機中の画面に戻るようになる。
【００７８】
次に、硬貨釣銭機１００の制御部１３０や紙幣釣銭機２００の制御部２３０が収納庫フル解除体験モードを実行しているときの動作について、図６に示すフローチャートならびに図７Ａおよび図７Ｂに示す硬貨釣銭機１００の操作表示部１１２の表示画面を用いて以下に説明する。
【００７９】
図５（ｃ）に示すようなエラー解除体験モードの体験項目選択画面が操作表示部１１２に表示されているときに、収納庫フル解除体験モードを行うことが選択手段１５０により選択された場合には（ＳＴＥＰ３の「ＹＥＳ」）、まず、図７Ａ（ａ）に示すように硬貨の補充を促す旨のメッセージが操作表示部１１２に表示される（ＳＴＥＰ１１）。そして、硬貨釣銭機１００に硬貨が補充されると（ＳＴＥＰ１２の「ＹＥＳ」）、図７Ａ（ｂ）に示すように補充された硬貨の枚数が操作表示部１１２に表示される（ＳＴＥＰ１３）。この際に、操作者によって硬貨釣銭機１００に１枚でも硬貨が補充されると、制御部１３０において硬貨フルが検知されるようになる。このため、操作者はそれ以上硬貨釣銭機１００に硬貨を補充する必要がなくなる。
【００８０】
そして、図７Ａ（ｃ）に示すように、収納庫フルに係るエラーが操作表示部１１２に表示される（ＳＴＥＰ１４）。具体的には、「硬貨満杯あり」というメッセージおよびどの金種の硬貨がフル状態であるかという情報が操作表示部１１２に表示される。また、図７Ａ（ｃ）に示すように、「回収キーを押下してくださいというメッセージが操作表示部１１２に表示される。この際に、操作表示部１１２において「回収」キーは強調表示される。
【００８１】
そして、操作者が「回収」キーを押下すると（ＳＴＥＰ１５の「ＹＥＳ」）、図７Ａ（ｄ）に示すように、エラーを解除するための手順が操作表示部１１２に表示される（ＳＴＥＰ１６）。具体的には、収納庫フルの異常状態の解除方法として、「途中回収」キーを押下して硬貨収納部１０６内の硬貨を硬貨釣銭機１００から出金させて回収する方法が用いられるが、操作表示部１１２にも、「途中回収キーを押下してくださいというメッセージが表示される。この際に、操作表示部１１２において「途中回収」キーは強調表示される。
【００８２】
そして、操作者が「途中回収」キーを押下すると（ＳＴＥＰ１７の「ＹＥＳ」）、硬貨釣銭機１００において出金動作が行われる（ＳＴＥＰ１８）。この際に、図７Ｂ（ｅ）に示すように、「回収中です」というメッセージが操作表示部１１２に表示される。そして、硬貨釣銭機１００における硬貨の回収動作が終了すると、操作表示部１１２には、図７Ｂ（ｆ）に示すように、「回収硬貨を抜き取ってください」というメッセージが表示される。その後、操作者が回収硬貨の抜き取りを行うと（ＳＴＥＰ１９）、判断手段１５４は、異常状態が解除されたと判断し（ＳＴＥＰ２０）、操作表示部１１２には、図７Ｂ（ｇ）に示すように、「解除完了」というメッセージが表示される。このようにして、収納庫フル解除体験モードが完了する。
【００８３】
次に、硬貨釣銭機１００の制御部１３０や紙幣釣銭機２００の制御部２３０が収納庫エンプティ解除体験モードを実行しているときの動作について、図８に示すフローチャートならびに図９Ａおよび図９Ｂに示す硬貨釣銭機１００の操作表示部１１２の表示画面を用いて以下に説明する。
【００８４】
図５（ｃ）に示すようなエラー解除体験モードの体験項目選択画面が操作表示部１１２に表示されているときに、収納庫エンプティ解除体験モードを行うことが選択手段１５０により選択された場合には（ＳＴＥＰ４の「ＹＥＳ」）、まず、図９Ａ（ａ）に示すようにエラーが発生した旨が操作表示部１１２に表示される（ＳＴＥＰ２１）。具体的には、５００円硬貨が不足しているという情報が操作表示部１１２に表示されるとともに、「不足貨幣を入れてください」というメッセージが操作表示部１１２に表示される。そして、操作者によって硬貨釣銭機１００に５００円硬貨が補充されると（ＳＴＥＰ２２の「ＹＥＳ」）、操作表示部１１２には、図９Ａ（ｂ）に示すように「補充動作中」というメッセージおよび補充された５００円硬貨の枚数が表示される（ＳＴＥＰ２３）。なお、収納庫エンプティ解除体験モードが行われているときに、硬貨釣銭機１００に５００円硬貨が１枚でも補充されると、硬貨釣銭機１００においてエンプティ状態またはニアエンプティ状態が解除される。そして、硬貨釣銭機１００においてエンプティ状態またはニアエンプティ状態が解除されると（ＳＴＥＰ２４の「ＹＥＳ」）、判断手段１５４は、異常状態が解除されたと判断し（ＳＴＥＰ２５）、操作表示部１１２には、図９Ａ（ｃ）に示すように、「解除完了」というメッセージが表示される。
【００８５】
その後、収納庫エンプティに係るエラーを解除するために硬貨釣銭機１００に投入された硬貨が、この硬貨釣銭機１００から出金される（ＳＴＥＰ２６）。この際に、操作表示部１１２には、図９Ｂ（ｄ）に示すように、「解除貨幣の出金動作中」というメッセージが表示される。そして、硬貨釣銭機１００から硬貨が出金されると、操作表示部１１２には、図９Ｂ（ｅ）に示すように、「解除貨幣を抜き取ってください」というメッセージが表示される。その後、硬貨釣銭機１００から出金された硬貨を操作者が抜き取ると（ＳＴＥＰ２７）、収納庫エンプティ解除体験モードが完了する。
【００８６】
次に、硬貨釣銭機１００の制御部１３０や紙幣釣銭機２００の制御部２３０がセンサ汚れ解除体験モードを実行しているときの動作について、図１０に示すフローチャートならびに図１１Ａおよび図１１Ｂに示す硬貨釣銭機１００の操作表示部１１２の表示画面を用いて以下に説明する。
【００８７】
図５（ｃ）に示すようなエラー解除体験モードの体験項目選択画面が操作表示部１１２に表示されているときに、センサ汚れ解除体験モードを行うことが選択手段１５０により選択された場合には（ＳＴＥＰ５の「ＹＥＳ」）、まず、図１１Ａ（ａ）に示すようにエラーが発生した旨が操作表示部１１２に表示される（ＳＴＥＰ３１）。具体的には、「硬貨部センサ汚れを検知」「硬貨部センサを掃除してください」というメッセージが操作表示部１１２に表示されるとともに、掃除すべき箇所の画像が操作表示部１１２に表示される。また、操作表示部１１２における「清掃」キーが強調表示される。
【００８８】
そして、操作者が「清掃」キーを押下すると（ＳＴＥＰ３２の「ＹＥＳ」）、操作表示部１１２にはエラーを解除するための手順が表示される（ＳＴＥＰ３３）。具体的には、まず、図１１Ａ（ｂ）に示すように、「鍵を保守にして硬貨部を引き出します」というメッセージが操作表示部１１２に表示される。そして、操作者が硬貨釣銭機１００の硬貨部（各硬貨収納部１０６が設けられたユニット）を筐体１１０から引き出し、ユニット開が検知されると、図１１Ａ（ｃ）に示すように、操作表示部１１２には筐体１１０から引き出された硬貨釣銭機１００の硬貨部が表示されるとともに「掃除道具を取り出してください」というメッセージが表示される。その後、操作表示部１１２には、図１１Ｂ（ｄ）に示すように、掃除すべき箇所の画像が操作表示部１１２に点滅状態で表示されるとともに「点滅部を掃除してください」「硬貨部を元に戻してください」というメッセージが操作表示部１１２に表示される。
【００８９】
そして、操作者によってセンサの掃除が行われ、その後、硬貨釣銭機１００の硬貨部を筐体１１０内に戻すことによりユニット閉が検知されると（ＳＴＥＰ３４の「ＹＥＳ」）、判断手段１５４は、異常状態が解除されたと判断する（ＳＴＥＰ３５）。このようにして、センサ汚れ解除体験モードが完了する。
【００９０】
次に、硬貨釣銭機１００の制御部１３０や紙幣釣銭機２００の制御部２３０が在高異常ドット解除体験モードを実行しているときの動作について、図１２に示すフローチャートならびに図１３Ａおよび図１３Ｂに示す硬貨釣銭機１００の操作表示部１１２の表示画面を用いて以下に説明する。
【００９１】
図５（ｃ）に示すようなエラー解除体験モードの体験項目選択画面が操作表示部１１２に表示されているときに、在高異常ドット解除体験モードを行うことが選択手段１５０により選択された場合には（ＳＴＥＰ６の「ＹＥＳ」）、まず、図１３Ａ（ａ）に示すようにエラーが発生した旨が操作表示部１１２に表示される（ＳＴＥＰ４１）。具体的には、「在高キーを押下してください」というメッセージが操作表示部１１２に表示される。この際に、操作表示部１１２において「在高」キーは強調表示される。そして、操作者が「在高」キーを押下すると（ＳＴＥＰ４２の「ＹＥＳ」）、操作表示部１１２には、エラーを解除するための手順が表示される（ＳＴＥＰ４３）。ここで、エラーを解除するための手順は、硬貨釣銭機１００や紙幣釣銭機２００の計数モードによって異なるようになる。
【００９２】
硬貨釣銭機１００や紙幣釣銭機２００の計数モードとしては、例えば、預かり金計数機モード、釣銭機モードおよび現金管理機モードの３つのモードがある。預かり金計数機モードとは、硬貨釣銭機１００や紙幣釣銭機２００に、預かり金の計数機能および釣銭の出金機能が設けられたモードのことをいう。このような預かり金計数機モードが行われているときには、レジでの運用手順は、まず、ＰＯＳレジスタからなる制御端末機３００で商品の金額を計算し、次に店員が客から預かった預かり金を硬貨釣銭機１００や紙幣釣銭機２００に投入し、その後これらの硬貨釣銭機１００や紙幣釣銭機２００から釣銭が出金されるようになる。
【００９３】
また、釣銭機モードとは、硬貨釣銭機１００や紙幣釣銭機２００に、釣銭の出金機能のみが設けられたモードのことをいう。このような釣銭機モードが行われているときには、レジでの運用手順は、まず、ＰＯＳレジスタからなる制御端末機３００で商品の金額を計算し、次に店員が客から預かった預かり金の金額を制御端末機３００で手入力し、その後硬貨釣銭機１００や紙幣釣銭機２００から釣銭が出金されるようになる。その後、任意のタイミングで硬貨釣銭機１００や紙幣釣銭機２００に硬貨や紙幣が補充される。
【００９４】
また、現金管理機モードとは、預かり金計数機モードと同様に、硬貨釣銭機１００や紙幣釣銭機２００に、預かり金の計数機能および釣銭の出金機能が設けられたモードのことをいう。このような現金管理機モードが行われているときには、レジでの運用手順は、預かり金計数機モードと同様に、まず、ＰＯＳレジスタからなる制御端末機３００で商品の金額を計算し、次に店員が客から預かった預かり金を硬貨釣銭機１００や紙幣釣銭機２００に投入し、その後これらの硬貨釣銭機１００や紙幣釣銭機２００から釣銭が出金されるようになる。
【００９５】
なお、出金時の在高更新のタイミングは、預かり金計数機モードや釣銭機モードが行われているときには、硬貨釣銭機１００の硬貨収納部１０６や紙幣釣銭機２００の紙幣収納部２０６から硬貨や紙幣を１枚繰り出したタイミングで在高を更新する。一方、現金管理機モードが行われているときには、出金指示枚数が全て硬貨釣銭機１００や紙幣釣銭機２００の機体外に出たタイミングで在高を更新する。このため、硬貨釣銭機１００や紙幣釣銭機２００において出金処理中にエラーが発生した場合、これらの硬貨釣銭機１００や紙幣釣銭機２００における出金搬送部１０８や周回搬送部２０３ａ上の硬貨や紙幣の取り扱いについて、預かり金計数機モードや釣銭機モードでは、硬貨収納部１０６や紙幣収納部２０６に戻すか、それとも釣銭機の機体外に取り除くかについて判断に迷うこととなる。一方、現金管理機モードでは、硬貨釣銭機１００や紙幣釣銭機２００において出金処理中にエラーが発生した場合に、これらの硬貨釣銭機１００や紙幣釣銭機２００内の硬貨や紙幣は全て硬貨収納部１０６や紙幣収納部２０６に戻しても問題ない。
【００９６】
操作表示部１１２に、エラーを解除するための手順が表示される際に（ＳＴＥＰ４３）、計数モードが預かり金計数機モードまたは釣銭機モードである場合には（ＳＴＥＰ４４）、操作表示部１１２には、図１３Ａ（ｂ）に示すように、「個別回収キーを押下してください」というメッセージが表示されるとともに、操作表示部１１２における「個別回収」キーが強調表示される。そして、操作者が「個別回収」キーを押下すると（ＳＴＥＰ４５の「ＹＥＳ」）、硬貨釣銭機１００や紙幣釣銭機２００において出金動作が行われる（ＳＴＥＰ４６）。この際に、操作表示部１１２には、図１３Ａ（ｃ）に示すように「回収中です」というメッセージが表示される。そして、硬貨釣銭機１００や紙幣釣銭機２００において出金動作が完了すると、操作表示部１１２には、図１３Ａ（ｄ）に示すように「回収貨幣を抜き取ってください」というメッセージが表示される。その後、操作者が回収硬貨の抜き取りを行うと（ＳＴＥＰ４７）、判断手段１５４は、異常状態が解除されたと判断し（ＳＴＥＰ４８）、操作表示部１１２には、図１３Ｂ（ｅ）に示すように、「解除完了」というメッセージが表示される。
【００９７】
その後、操作表示部１１２には、図１３Ｂ（ｆ）に示すように、「解除貨幣を再投入してください」というメッセージが表示される。そして、操作者が、硬貨釣銭機１００や紙幣釣銭機２００から回収された硬貨や紙幣を、硬貨釣銭機１００や紙幣釣銭機２００に再投入すると（ＳＴＥＰ４９）、操作表示部１１２には、図１３Ｂ（ｇ）に示すように、「解除貨幣の補充動作中」というメッセージが表示される。そして、硬貨釣銭機１００や紙幣釣銭機２００から回収された枚数の硬貨や紙幣が硬貨釣銭機１００や紙幣釣銭機２００に補充されると（ＳＴＥＰ５０の「ＹＥＳ」）、在高異常ドット解除体験モードが完了する。
【００９８】
なお、操作表示部１１２に、エラーを解除するための手順が表示される際に（ＳＴＥＰ４３）、計数モードが現金管理機モードである場合には（ＳＴＥＰ４４）、操作表示部１１２には、図１３Ａ（ｂ）に示すような「個別回収キーを押下してください」というメッセージが表示される代わりに、「戻入れキーを押下してください」というメッセージが表示される。また、この際に、操作表示部１１２における「戻入れ」キーが強調表示される。なお、図１３Ａ、図１３Ｂでは、「戻入れ」キーは表示されていないが、実際には、図１３Ａ（ｂ）における「個別回収」キーの代わりに「戻入れ」キーが表示されるようになる。そして、操作者が「戻入れ」キーを押下し（ＳＴＥＰ５１の「ＹＥＳ」）、硬貨釣銭機１００や紙幣釣銭機２００に硬貨や紙幣を投入すると、これらの硬貨釣銭機１００や紙幣釣銭機２００において硬貨や紙幣の戻入れ動作が行われる（ＳＴＥＰ５２）。この際に、操作表示部１１２には、「戻入れ中です」というメッセージが表示される。ここで、硬貨釣銭機１００や紙幣釣銭機２００には、在高異常ドットが生じている金種について、操作者が考えている不足枚数分の硬貨や紙幣が戻入れされるようになる。
【００９９】
そして、在高異常ドットが生じている金種の硬貨や紙幣が硬貨釣銭機１００や紙幣釣銭機２００に戻入れされると（ＳＴＥＰ５３の「ＹＥＳ」）、判断手段１５４は、異常状態が解除されたと判断し（ＳＴＥＰ５４）、操作表示部１１２には、図１３Ｂ（ｅ）に示すように、「解除完了」というメッセージが表示される。
【０１００】
その後、在高異常ドットに係るエラーを解除するために硬貨釣銭機１００や紙幣釣銭機２００に戻入れされた硬貨や紙幣が、これらの硬貨釣銭機１００や紙幣釣銭機２００から出金される（ＳＴＥＰ５５）。この際に、操作表示部１１２には、「解除貨幣の出金動作中」というメッセージが表示される。そして、硬貨釣銭機１００や紙幣釣銭機２００から硬貨や紙幣が出金されると、操作表示部１１２には、「解除貨幣を抜き取ってください」というメッセージが表示される。その後、硬貨釣銭機１００や紙幣釣銭機２００から出金された硬貨や紙幣を操作者が抜き取ると（ＳＴＥＰ５６）、在高異常ドット解除体験モードが完了する。
【０１０１】
次に、硬貨釣銭機１００の制御部１３０や紙幣釣銭機２００の制御部２３０が搬送エラー解除体験モードを実行しているときの動作について、図１４に示すフローチャートならびに図１５に示す硬貨釣銭機１００の操作表示部１１２の表示画面を用いて以下に説明する。
【０１０２】
図５（ｃ）に示すようなエラー解除体験モードの体験項目選択画面が操作表示部１１２に表示されているときに、搬送エラー解除体験モードを行うことが選択手段１５０により選択された場合には（ＳＴＥＰ７の「ＹＥＳ」）、操作者が硬貨や紙幣を硬貨釣銭機１００や紙幣釣銭機２００の機体内に投入する旨の表示が操作表示部１１２に表示される。そして、硬貨釣銭機１００や紙幣釣銭機２００の機体内に硬貨や紙幣が投入されると（ＳＴＥＰ６１の「ＹＥＳ」）、これらの硬貨や紙幣が機体内に取り込まれた後、硬貨収納部１０６や紙幣収納部２０６に搬送される前に、硬貨や紙幣の搬送が途中で停止される（ＳＴＥＰ６２）。より詳細には、搬送エラー解除体験モードが実行されているときに、硬貨釣銭機１００の硬貨受入部１１４に硬貨が受け入れられると、当該硬貨が入金搬送部１０３により搬送されて硬貨識別部１０１により識別された後、分岐部１０４の手前の箇所で入金搬送部１０３による硬貨の搬送が停止されるようになる。更に具体的に説明すると、図１に示すように、入金搬送部１０３における分岐部１０４の手前の箇所には検出センサ１０５が設けられており、この検出センサ１０５により硬貨が検出されたときに入金搬送部１０３による当該硬貨の搬送が停止されるようになる。一方、搬送エラー解除体験モードが実行されているときに、紙幣受入部２１４の紙幣受入口２１４ａに紙幣が挿入されると、当該紙幣が周回搬送部２０３ａにより搬送されて紙幣識別部２０１により識別された時点で、周回搬送部２０３ａによる紙幣の搬送が停止されるようになる。このように、入金搬送部１０３や周回搬送部２０３ａによる硬貨や紙幣の搬送を途中で停止させることにより、ジャムに類似する状態を人為的に発生させることができるようになる。なお、搬送エラー解除体験モードが実行されているときには、硬貨識別部１０１や紙幣識別部２０１により識別された硬貨や紙幣は、計数結果には含まれないようになる。
【０１０３】
そして、制御部１３０や制御部２３０は、搬送エラー解除体験モードが実行されているときに、硬貨釣銭機１００の入金搬送部１０３や紙幣釣銭機２００の周回搬送部２０３ａによる硬貨や紙幣の搬送を途中で停止させた後、発生させられたエラーに対応したエラー解除方法に関する情報を出力する。そして、出力されたエラー解除方法に関する情報は、硬貨釣銭機１００の操作表示部１１２に表示される（ＳＴＥＰ６３）。具体的には、紙幣釣銭機２００の周回搬送部２０３ａによる紙幣の搬送が途中で停止した後に、操作表示部１１２には、図１５に示すような、エラー解除方法に関する情報が表示される。より詳細には、操作表示部１１２には、エラーを解除するために操作が必要な箇所の画像や復旧操作の手順が示されるようになる。
【０１０４】
そして、操作者は、操作表示部１１２に表示されたエラー解除方法に従って各部位を操作すると、搬送が途中で停止された硬貨や紙幣を硬貨釣銭機１００や紙幣釣銭機２００の機体内から取り出すことができ、エラーが解除される（ＳＴＥＰ６４の「ＹＥＳ」）。エラーが解除されて、装置を元の状態に戻した後、操作者が操作表示部１１２により所定の戻し操作を行うことによって（具体的には、操作表示部１１２に表示された「戻る」キーを操作者が押下することによって）（ＳＴＥＰ６５の「ＹＥＳ」）、制御部１３０や制御部２３０において実行される処理モードが搬送エラー解除体験モードから通常モードに戻るようになる（ＳＴＥＰ６６）。戻し操作が行わなければ（ＳＴＥＰ６５の「ＮＯ」）、再び硬貨または紙幣を投入することで、エラーを発生させて、エラー解除操作を再び体験することができる。なお、他の例として、エラーが解除されると、操作者が操作表示部１１２により所定の戻し操作を行わなくても、エラー解除体験は１回限りとし、制御部１３０や制御部２３０において実行される処理モードがエラー解除体験モードから自動的に通常モードに戻るようになっていてもよい。このようにして、搬送エラー解除体験モードが完了する。
【０１０５】
本実施の形態では、上述したような各種のエラー解除体験モードが行われているときに、操作表示部１１２に表示されるエラー解除方法は、通常モードが実行されているときに操作表示部１１２に表示されるエラー解除方法とは異なる態様となっている。具体的には、エラー解除体験モードが実行されているときには、操作表示部１１２には、〔収納庫フル解除体験モード中〕〔収納庫エンプティ解除体験モード中〕といったメッセージが画面の左上欄に表示されるようになる。あるいは、エラー解除体験モードが実行されているときに操作表示部１１２に表示されるエラー解除方法が、通常モードが実行されているときに操作表示部１１２に表示されるエラー解除方法とは異なる色で表示されるようになっていてもよい。
【０１０６】
以上のように本実施の形態による硬貨釣銭機１００や紙幣釣銭機２００、あるいはこれらの硬貨釣銭機１００および紙幣釣銭機２００を備えた貨幣処理システム１によれば、選択手段１５０により、少なくともエラー解除体験モードを行うことを選択できるようになっており、選択手段１５０によりエラー解除体験モードを行うことが選択されたときに、異常状態が発生した旨の情報が出力手段１５２により出力されるようになっている。このように、選択手段１５０によりエラー解除体験モードを行うことを選択することによって、営業時間外等において操作者に対してエラー解除操作（復旧操作）を前もって体験させることができるようになる。このことにより、実際に硬貨釣銭機１００や紙幣釣銭機２００において異常で発生したときに、操作者の技能レベルにかかわらずこれらの硬貨釣銭機１００や紙幣釣銭機２００を迅速に復旧させることができる。
【０１０７】
また、本実施の形態による硬貨釣銭機１００や紙幣釣銭機２００、あるいはこれらの硬貨釣銭機１００および紙幣釣銭機２００を備えた貨幣処理システム１によれば、選択手段１５０により搬送エラー解除体験モードを行うことが選択されたときに、制御部１３０や制御部２３０は、入金搬送部１０３や周回搬送部２０３ａによる硬貨や紙幣の搬送を途中で停止させるようになっている。このように、搬送エラー解除体験モードが行われているときには、硬貨釣銭機１００や紙幣釣銭機２００の機体内における紙幣や硬貨の搬送が途中で停止されるため、ジャムを人為的に発生させることができるようになる。
【０１０８】
また、本実施の形態の硬貨釣銭機１００や紙幣釣銭機２００においては、出力手段１５２は、選択手段１５０によりエラー解除体験モードを行うことが選択されたときに、異常状態が発生した旨の情報に加えて、異常状態の解除方法に係る情報も追加的に出力するようになっている。このことにより、営業時間外等において操作者に対してエラー解除操作を前もって体験させる際に、操作者は、出力された異常状態の解除方法を参照してエラー解除操作を行うことができるようになる。
【０１０９】
また、本実施の形態の硬貨釣銭機１００や紙幣釣銭機２００においては、出力手段１５２により出力された異常状態の解除方法に係る情報に沿って硬貨釣銭機１００や紙幣釣銭機２００が操作されたときに、判断手段１５４は、異常状態が解除されたと判断するようになっている。このことにより、営業時間外等において操作者に対してエラー解除操作を前もって体験させる際に、エラーが解除されたか否かを判断手段１５４によって確実に判断することができるようになる。
【０１１０】
また、本実施の形態の硬貨釣銭機１００や紙幣釣銭機２００においては、出力手段１５２により出力された情報は操作表示部１１２に表示されるようになっている。この際に、操作表示部１１２は、選択手段１５０によりエラー解除体験モードを行うことが選択された場合と、選択手段１５０によりエラー解除体験モード以外のモード、具体的には例えば通常モードを行うことが選択された場合とで表示内容を異なる態様で表示するようになっている。例えば、エラー解除体験モードが実行されているときには、操作表示部１１２には、〔収納庫フル解除体験モード中〕〔収納庫エンプティ解除体験モード中〕といったメッセージが画面の左上欄に表示されるようになる。また、エラー解除体験モードが実行されているときに操作表示部１１２に表示されるエラー解除方法が、エラー解除体験モード以外のモードが実行されているときに操作表示部１１２に表示されるエラー解除方法とは異なる色で表示されるようになっていてもよい。
【０１１１】
また、本実施の形態の硬貨釣銭機１００や紙幣釣銭機２００においては、出力手段１５２により出力された情報は、インターフェース１３２、２３２を介して外部装置（例えば制御端末機３００やホストサーバ４００）に送信されるようになっている。このことにより、操作者は、例えば制御端末機３００の表示部３０２に表示されたエラー解除方法を見ながら、エラー解除操作（復旧操作）を行うことができるようになる。
【０１１２】
また、本実施の形態の硬貨釣銭機１００や紙幣釣銭機２００においては、複数の種類のエラー解除体験モードが予め準備されており、選択手段１５０によりエラー解除体験モードを行うことが選択されたときに、どの種類のエラー解除体験モードを行うかについても選択されるようになっている。
【０１１３】
また、本実施の形態の硬貨釣銭機１００や紙幣釣銭機２００においては、制御部１３０や制御部２３０は、搬送エラー解除体験モードが実行されているときに、硬貨受入部１１４や紙幣受入部２１４により硬貨釣銭機１００や紙幣釣銭機２００の機体内に投入された紙幣や硬貨について入金搬送部１０３や周回搬送部２０３ａによる搬送を途中で停止させるよう入金搬送部１０３や周回搬送部２０３ａを制御するようになっている。このことにより、搬送エラー解除体験モードが実行されているときに、硬貨釣銭機１００や紙幣釣銭機２００の機体内に入金された紙幣や硬貨が硬貨収納部１０６や紙幣収納部２０６に収納されてしまうことを防止することができるため、硬貨釣銭機１００や紙幣釣銭機２００の内部に収納された硬貨や紙幣の在高が変化してしまうことを防止することができる。
【０１１４】
なお、本実施の形態による硬貨釣銭機１００や紙幣釣銭機２００は、上記の態様に限定されるものではなく、様々の変更を加えることができる。
【０１１５】
例えば、少なくともエラー解除体験モードを行うことを選択できる選択手段１５０、選択手段１５０によりエラー解除体験モードを行うことが選択されたときに異常状態が発生した旨の情報を出力する出力手段１５２、および異常状態が解除されたと判断する判断手段１５４は、硬貨釣銭機１００に設けられることに限定されることはない。これらの手段の一部または全部が、硬貨釣銭機１００や紙幣釣銭機２００ではなく、硬貨釣銭機１００や紙幣釣銭機２００に通信接続された外部装置に設けられていてもよい。例えば、選択手段１５０、出力手段１５２および判断手段１５４のうち一部または全部の手段が制御端末機３００に設けられていてもよい。この場合、出力手段１５２により出力された情報は制御端末機３００の表示部３０２に表示されるようになっていてもよい。
【０１１６】
また、選択手段１５０により搬送エラー解除体験モードを行うことが選択された後、操作者が硬貨や紙幣を硬貨釣銭機１００や紙幣釣銭機２００の機体内に投入しなくても、硬貨収納部１０６や紙幣収納部２０６から硬貨や紙幣が自動的に出金搬送部１０８や周回搬送部２０３ａに繰り出されるようになっていてもよい。この場合には、硬貨収納部１０６や紙幣収納部２０６から繰り出された硬貨や紙幣が、硬貨払出部１１６や紙幣払出部２１６に搬送される前に、出金搬送部１０８や周回搬送部２０３ａによる硬貨や紙幣の搬送が途中で停止されるようになる。より詳細には、搬送エラー解除体験モードが実行されているときに、硬貨釣銭機１００の硬貨収納部１０６から硬貨が自動的に繰り出されると、当該硬貨は出金搬送部１０８により硬貨払出部１１６に向かって搬送されるようになるが、当該硬貨払出部１１６の手前の箇所で出金搬送部１０８による硬貨の搬送が停止されるようになる。一方、搬送エラー解除体験モードが実行されているときに、紙幣釣銭機２００の紙幣収納部２０６から紙幣が自動的に繰り出されると、当該紙幣が周回搬送部２０３ａにより搬送されて紙幣識別部２０１により識別された時点で、周回搬送部２０３ａによる紙幣の搬送が停止されるようになる。このように、出金搬送部１０８や周回搬送部２０３ａによる硬貨や紙幣の搬送を途中で停止させることにより、硬貨収納部１０６や紙幣収納部２０６から繰り出された硬貨や紙幣についてジャムに類似した状態を人為的に発生させることができるようになる。
【０１１７】
そして、硬貨釣銭機１００の出金搬送部１０８や紙幣釣銭機２００の周回搬送部２０３ａによる硬貨や紙幣の搬送を途中で停止させた後、硬貨釣銭機１００の制御部１３０や紙幣釣銭機２００の制御部２３０はエラー解除方法に関する情報を出力する。そして、出力されたエラー解除方法に関する情報は、硬貨釣銭機１００の操作表示部１１２に表示される。
【０１１８】
その後、操作者は、操作表示部１１２に表示されたエラー解除方法に沿って、搬送が途中で停止された硬貨や紙幣を硬貨釣銭機１００や紙幣釣銭機２００の機体内から取り出すと、エラーが解除されるようになる。エラーが解除されると、操作者が操作表示部１１２により所定の戻し操作を行うことによって、制御部１３０や制御部２３０において実行される処理モードが搬送エラー解除体験モードから通常モードに戻るようになる。その後、操作表示部１１２には、硬貨釣銭機１００や紙幣釣銭機２００の機体内から取り出された硬貨や紙幣を再投入する旨の表示がなされる。
【０１１９】
操作者は、操作表示部１１２に表示された表示内容に基づいて、硬貨釣銭機１００や紙幣釣銭機２００の機体内から取り出した硬貨や紙幣を再投入する。このことにより、硬貨釣銭機１００や紙幣釣銭機２００の機体内に再投入された硬貨や紙幣は、硬貨収納部１０６や紙幣収納部２０６に再び収納されるようになる。このため、硬貨釣銭機１００や紙幣釣銭機２００の内部に収納された硬貨や紙幣の在高が、搬送エラー解除体験モードを行う前後で変化することを防止することができる。
【０１２０】
このように、変形例に係る硬貨釣銭機１００や紙幣釣銭機２００によれば、制御部１３０や制御部２３０は、搬送エラー解除体験モードが実行されているときに、硬貨払出部１１６や紙幣払出部２１６により硬貨釣銭機１００や紙幣釣銭機２００の機体外へ出金されるべき紙幣や硬貨について、出金搬送部１０８や周回搬送部２０３ａによる搬送を途中で停止させるよう、出金搬送部１０８や周回搬送部２０３ａを制御するようになっている。この場合でも、選択手段１５０により搬送エラー解除体験モードを行うことを選択することにより、営業時間外等において操作者に対してエラー解除操作（復旧操作）を前もって体験させることができるようになる。この変形例によれば、エラー解除操作の体験のために紙幣や硬貨を用意する必要がなく、また、硬貨や紙幣の出金搬送路で生じるエラーを体験することができるようになるという利点がある。
【０１２１】
なお、上述のような変形例に係る硬貨釣銭機１００や紙幣釣銭機２００においては、搬送エラー解除体験モードが実行されているときに、出金搬送部１０８や周回搬送部２０３ａによる搬送が途中で停止された硬貨や紙幣に関する情報と、硬貨釣銭機１００や紙幣釣銭機２００の機体内に再投入された硬貨や紙幣に関する情報との照合を行い、一致すれば通常モードに戻ることができるが、一致しなければ警告を発するようになっている。このことにより、搬送エラー解除体験モードが実行されているときに硬貨釣銭機１００や紙幣釣銭機２００の機体内から取り出された硬貨や紙幣が適切に硬貨釣銭機１００や紙幣釣銭機２００の機体内に再投入されたか否かを確認することができるようになる。
【０１２２】
また、本実施の形態による硬貨釣銭機１００や紙幣釣銭機２００は、選択手段１５０がエラー解除体験モードを選択できるものに限定されることはない。硬貨釣銭機１００や紙幣釣銭機２００の更なる変形例として、制御部１３０や制御部２３０が、所定の指示を受け付けると、硬貨釣銭機１００や紙幣釣銭機２００の機体内での硬貨や紙幣の搬送を途中で停止させるようになるような態様としてもよい。このような硬貨釣銭機１００や紙幣釣銭機２００の更なる変形例について、図１６に示すフローチャートを用いて説明する。
【０１２３】
更なる変形例に係る硬貨釣銭機１００や紙幣釣銭機２００によれば、制御部１３０や制御部２３０においてエラー解除体験モードは設定されていない。代わりに、硬貨釣銭機１００や紙幣釣銭機２００の機体内で硬貨や紙幣が搬送されているときに（ＳＴＥＰ７１）、制御部１３０や制御部２３０が所定の指示を受け付けると（ＳＴＥＰ７２の「ＹＥＳ」）、硬貨釣銭機１００や紙幣釣銭機２００の機体内での硬貨や紙幣の搬送が途中で停止されるようになる（ＳＴＥＰ７３）。より具体的には、操作者が操作表示部１１２により所定の指示を入力することにより、あるいは制御端末機３００やホストサーバ４００から硬貨釣銭機１００や紙幣釣銭機２００の制御部１３０や制御部２３０に所定の指示が送信されることにより、制御部１３０や制御部２３０に対して所定の指示が与えられるようになる。
【０１２４】
そして、制御部１３０や制御部２３０は、硬貨釣銭機１００や紙幣釣銭機２００の機体内での硬貨や紙幣の搬送を途中で停止させた後、エラー解除方法に関する情報を出力する。そして、出力されたエラー解除方法に関する情報は、硬貨釣銭機１００の操作表示部１１２に表示される（ＳＴＥＰ７４）。その後、操作者は、操作表示部１１２に表示されたエラー解除方法に従って各部位を操作することにより、搬送が途中で停止された硬貨や紙幣を硬貨釣銭機１００や紙幣釣銭機２００の機体内から取り出し、装置を元の状態に戻すと、エラーが解除される（ＳＴＥＰ７５の「ＹＥＳ」）。
【０１２５】
以上のように、硬貨釣銭機１００や紙幣釣銭機２００の更なる変形例では、制御部１３０や制御部２３０は、所定の指示を受け付けると、入金搬送部１０３や出金搬送部１０８、周回搬送部２０３ａ等による硬貨や紙幣の搬送を途中で停止させるようこれらの入金搬送部１０３や出金搬送部１０８、周回搬送部２０３ａ等を制御するようになっている。このように、制御部１３０や制御部２３０に所定の指示を与えることにより、筐体内で硬貨や紙幣が途中で停止するため、ジャムに類似した状態を人為的に発生させることができるようになり、営業時間外等において操作者に対してエラー解除操作（復旧操作）を前もって体験させることができるようになる。このため、実際にジャム等の異常が硬貨釣銭機１００や紙幣釣銭機２００で発生した場合において、どのような技能レベルの操作者でも、エラー解除操作（復旧操作）を前もって体験していることにより、硬貨釣銭機１００や紙幣釣銭機２００を迅速に復旧させることができるようになる。
【０１２６】
また、本発明において用いられる貨幣処理機は、硬貨釣銭機や紙幣釣銭機に限定されることはない。本発明において用いられる貨幣処理機として、硬貨や紙幣からなる貨幣を処理することができるものであれば、硬貨釣銭機や紙幣釣銭機以外のものを適用してもよい。
【０１２７】
また、搬送エラー解除体験モードが行われているときに、硬貨釣銭機１００や紙幣釣銭機２００において擬似的なジャムが発生した状態で、操作者によって操作表示部１１２によりクリア指示の入力が行われると、入金搬送部１０３や出金搬送部１０８、周回搬送部２０３ａ等の搬送手段が駆動されて、停止されていた硬貨や紙幣が硬貨払出部１１６や紙幣払出部２１６に搬送されるようになっていてもよい。この場合には、エラー解除操作を上手く行えない等により、搬送エラー解除体験モードを取り止める必要があるときに、硬貨釣銭機１００や紙幣釣銭機２００に投入された硬貨や紙幣を機体外に戻すことができるようになる。
【０１２８】
また、搬送エラー解除体験モードが行われているときに、硬貨釣銭機１００や紙幣釣銭機２００において擬似的なジャムを発生させる際に、操作者が操作表示部１１２により硬貨や紙幣を停止する位置を指定することができるようになっていてもよい。操作者が操作表示部１１２により硬貨や紙幣を停止する位置を指定した後に硬貨釣銭機１００や紙幣釣銭機２００の機体内に硬貨や紙幣を投入すると、指定された位置で硬貨や紙幣が停止され、操作者は当該位置でのエラー解除操作を体験することができるようになる。例えば、硬貨釣銭機１００において、硬貨受入部１１４、硬貨識別部１０１、入金搬送部１０３における分岐部１０４より上流側の箇所、分岐部１０４、入金搬送部１０３における分岐部１０４より下流側の箇所、および硬貨払出部１１６の中から硬貨を停止する箇所を選択することができるようになっていてもよい。
【０１２９】
また、搬送エラー解除体験モードが行われているときに、硬貨釣銭機１００や紙幣釣銭機２００において擬似的なジャムを発生させる際に、アトランダムな位置で硬貨や紙幣を停止させてエラーを発生させるモードが設けられていてもよい。このようなモードを実行することにより、操作者のエラー解除操作の能力をテストしたり、操作者の技量の向上を図ったりすることができるようになる。
【符号の説明】
【０１３０】
１  貨幣処理システム
１００  硬貨釣銭機
１０１  硬貨識別部
１０３  入金搬送部
１０４  分岐部
１０５  検出センサ
１０６  硬貨収納部
１０８  出金搬送部
１１０  筐体
１１２  操作表示部
１１４  硬貨受入部
１１６  硬貨払出部
１２０  硬貨詰まり検出手段
１３０  制御部
１３２  インターフェース
１３４  記憶部
１５０  選択手段
１５２  出力手段
１５４  判断手段
２００  紙幣釣銭機
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１４  紙幣受入部
２１４ａ  紙幣受入口
２１６  紙幣払出部
２１６ａ  紙幣取出口
２２０  紙幣詰まり検出手段
２３０  制御部
２３２  インターフェース
２３４  記憶部
３００  制御端末機
３０２  表示部
３０２ａ  追加の表示部
３０４  操作部
３３０  制御部
３３２  インターフェース
３３４  記憶部
４００  ホストサーバ
【図１】
0005986807.tif 000002
【図２】
0005986807.tif 000003
【図３】
0005986807.tif 000004
【図４】
0005986807.tif 000005
【図５】
0005986807.tif 000006
【図６】
0005986807.tif 000007
【図７Ａ】
0005986807.tif 000008
【図７Ｂ】
0005986807.tif 000009
【図８】
0005986807.tif 000010
【図９Ａ】
0005986807.tif 000011
【図９Ｂ】
0005986807.tif 000012
【図１０】
0005986807.tif 000013
【図１１Ａ】
0005986807.tif 000014
【図１１Ｂ】
0005986807.tif 000015
【図１２】
0005986807.tif 000016
【図１３Ａ】
0005986807.tif 000017
【図１３Ｂ】
0005986807.tif 000018
【図１４】
0005986807.tif 000019
【図１５】
0005986807.tif 000020
【図１６】
0005986807.tif 000021